(57)【要約】      （修正有）【課題】任意のコンロ用パネルを保持することができ、さらに、壁面からの設置距離を自在に調節することができるコンロ用パネルの保持具を提供する。【解決手段】コンロ用パネル保持具として、吸盤と吸盤カバーからなる吸盤部１０、基端部が、吸盤の吸着面に直交する第一軸と、第一軸に垂直な第二軸のそれぞれに回転可能に吸盤に固定される棒体からなる連結桿２０と、連結桿の先端に、互いに垂直な三軸対して回転可能なクリップ連結部４０を介して固定されるクリップ３０とを設ける。【選択図】図１
0003186971.tif 000002
【実用新案登録請求の範囲】
【請求項１】
吸盤と、
基端部が、前記吸盤の吸着面に直交する第一軸と、前記第一軸に垂直な第二軸のそれぞれに回転可能に前記吸盤に固定される棒体からなる連結桿と、
前記連結桿の先端に、互いに垂直な三軸対して回転可能に固定されるクリップと
を有するコンロ用パネル保持具。
【請求項２】
前記連結桿は２以上のパイプ体が入れ子に挿入されることで伸縮可能に形成されるものである請求項１に記載のコンロ用パネル保持具。
【考案の詳細な説明】
【技術分野】
【０００１】
本考案はガスコンロやＩＨコンロの回りに設置されるパネルを立てた状態に保持する器具に関する。
【背景技術】
【０００２】
ガスコンロ等の回りは油などが跳ねて汚れやすいので、薄いアルミ板や鉄板で形成されたコンロ用パネルをコンロの外周面に立てることが行なわれる。このようなコンロ用パネルは多くの場合、磁石を用いてコンロに吸着させて固定している。しかし、近年ＩＨコンロには金属以外の材料で形成されている場合があり、このようなコンロに対しては、コンロ用パネルは設置面に立てるだけにならざるを得ない。しかし、単に設置面に立てるだけでは、鍋などに当たってすぐに倒れてしまうという問題が生じる。
これに対して下記特許文献には、コンロ用パネルの上縁を連結桿の先端を固定し、連結桿の基端に吸盤を固定したものが示されている。このような構造によれば、吸盤をコンロ背面の壁面に吸着させることでコンロ用パネルを安定して立てることができる。
【先行技術文献】
【特許文献】
【０００３】
【特許文献１】実開昭57-61410号公報
【考案の概要】
【考案が解決しようとする課題】
【０００４】
しかしながら、上記特許文献に記載の考案は、予めコンロ用パネルに固定されているので、現在市販されているコンロ用パネルに用いることができない。また、コンロ用パネルに直交する軸にのみ回転可能に形成されているので、壁面からの距離を調節することができず、コンロ用パネルの設置位置が、コンロから離れてしまう等、壁面に対する距離を調節することができない。
本考案は、このような問題に鑑み、任意のコンロ用パネルを保持することができ、さらに、壁面からの設置距離を自在に調節することができるコンロ用パネルの保持具を提供することを課題とする。
【課題を解決するための手段】
【０００５】
上記課題を解決するために、本考案は次のような構成を有する。
請求項１に記載の考案は、吸盤と、基端部が、前記吸盤の吸着面に直交する第一軸と、前記第一軸に垂直な第二軸のそれぞれに回転可能に前記吸盤に固定される棒体からなる連結桿と、前記連結桿の先端に、互いに垂直な三軸対して回転可能に固定されるクリップとを有するコンロ用パネル保持具である。
請求項２に記載の考案は、前記コンロ用パネル保持具において、前記連結桿は２以上のパイプ体が入れ子に挿入されることで伸縮可能に形成されるものである請求項１に記載のコンロ用パネル保持具。
【考案の効果】
【０００６】
請求項１に記載の考案は、クリップで挟むことでコンロ用パネルを保持することができるので任意のコンロ用パネルを用いることができ、さらに、連結桿が吸盤に対して基端側で２軸に回転可能に固定され、クリップに対して３軸に回転可能に固定されるので、連結桿は先端を壁面に近づけたり離したりでき、クリップは任意の姿勢の連結桿に対して常に狭持面が壁面および設置面と平行となるように姿勢を変えることができる。従って、コンロ用パネルを壁面から所望の距離はなれた位置に立てた状態で、壁面とコンロ用パネルを連結固定することができる。
請求項２に記載の考案は、連結桿を伸縮自在とすることでコンロと吸盤の距離も適宜変更することができ、設置の自由度をより高くすることができる。
【図面の簡単な説明】
【０００７】
【図１】実施形態に係るコンロ用パネル保持具の斜視図である。
【図２】（ａ）は吸盤部の縦断面図であり、（ｂ）はクリップ連結部の縦断面図である。
【図３】実施形態に係るコンロ用パネル保持具の使用状態を示す正面図である。
【図４】実施形態に係るコンロ用パネル保持具の他の使用状態を示す正面図である
【考案を実施するための形態】
【０００８】
以下、本考案の実施の形態について、図面を参照しながら説明する。
図１に本実施形態に係るコンロ用パネル保持具Ｘの斜視図を示す。コンロ用パネル保持具Ｘは、吸盤部１０、連結桿２０、クリップ３０、クリップ連結部４０から構成される。
図２（ａ）に吸盤部１０の縦断面図を示す。吸盤部１０は、吸盤１１と吸盤カバー１２とから形成される。吸盤１１は一般的な吸盤であり背面に外周を一周する溝１１ａａが形成された突起１１ａが設けられている。吸盤カバー１２は吸盤背面側に設けられる傘状の部材であり中央背面に円柱状のブロック１２ａが形成されている。ブロック１２ａは中央に吸盤１１の溝１１ａａに嵌合する内フランジ１２ａａが形成された、突起１１ａが嵌入する貫通孔１２ａが形成されている。吸盤１１の突起１１ａが吸盤カバー１２の貫通孔に嵌入することで吸盤カバー１２は吸盤１１に、吸盤１１の吸着面に垂直な軸周りに回転自在に固定される一方で、突起１１ａと貫通孔１２ａとはきつく嵌り合うことで、ある程度以上の力を加えなければ回らないように形成されている。また、吸盤カバー１２の裏面には吸盤１１の吸着面に垂直な互いに向かい合う２枚の板状部からなる回転保持部１２ｂが設けられる。また、回転保持部１２ｂの両板状部には対向する位置に貫通孔１２ｂａが設けられている。両貫通孔１２ｂの中心を通る直線は、吸盤カバー１２の吸盤１１に対する回転軸に対して垂直となる。
【０００９】
連結桿２０は、順次外径が内径に嵌り合う３本の金属パイプを入れ子に挿入することで伸縮自在に形成される棒状部材である。連結桿２０の基端側は長手方向に対して垂直に貫通孔が形成され、吸盤部カバー１２の回転保持部１２ｂに形成される貫通孔１２ｂａとともに軸部材を通されて回転可能に保持される。連結桿２０の回転保持部１２ｂに対する保持も、軸部材がきつく嵌ることである程度の力を加えなければ回転できないように形成されている。
【００１０】
クリップ３０はバネにより閉じた状態に付勢される一般的な金属製のクリップである。クリップ連結部４０は、クリップ３０と連結桿２０の先端とを連結する構造部分である。図２（ｂ）にクリップ連結部４０の縦断面図を示す。クリップ連結部４０は、連結桿２０の先端に固定される第一球状部４１、クリップ３０の狭持の支点となる回転軸の延長部分の端部に固定される第一球状部４１と同じ径を持つ第二球状部４２、互いに対向する位置に、各球状部が嵌る窪み４３ａが形成された互いに平行に設けられる２枚の狭持板４３、狭持板４３同士を中央位置で一定距離を保持した状態で互いに平行に固定する棒体からなる固定棒４４から構成される。第一球状部４１、第二球状部４２は狭持板４３の窪み４３ａに嵌ることで狭持板４３に対して互いに垂直な３軸周りに回転可能に固定されることとなる。即ち、第一球状部４１、第二球状部４２同士も少なくとも互いに垂直な３軸周りに連結固定されることとなる。狭持板４３と第一球状部４１及び第二球状部４２との固定も、きつく狭持することで一定以上の力を加えないと動かせないようになっている。
【００１１】
次に、以上のような構成を有するコンロ用パネル固定具Ｘの使用方法について説明する。使用者は、コンロ用パネルを立てるだいたいの位置を決め、この位置の背面の壁面に、コンロ用パネル固定具Ｘの吸盤１１を吸着させる。次に、実際にコンロ用パネルを立て、このコンロ用パネルの上縁をクリップ３０が挟めるように、連結桿２０の長さ及び吸盤１１に対する角度を調節するとともに、クリップ連結部４０の角度を調節して、クリップ３０の狭持部がコンロ用パネルの上縁を挟めるようにする。その後、クリップ３０でコンロ用パネルの上縁を狭持して固定する。図３にコンロ用パネル固定具Ｘによりコンロ用パネルＰを固定した状態の正面図を示す。この状態で連結桿２０の長さ及び吸盤１１に対する角度を変えると、コンロ用パネルＰの位置を調節できるので、必要であれば調節する。連結桿２０は、吸盤１１の吸着面に直交する回転軸のみならず、吸着面に直交する回転軸に垂直な回転軸にも回転できるので、連結桿２０先端側に位置するクリップは、吸盤１１の吸着面に垂直な回転軸回りの回転及び連結桿２０自体の長さの調節により上下の高さを調節でき、吸着面に直交する回転軸に垂直な回転軸回りの回転及び連結桿２０自体の長さの調節により壁面からの距離を調節することができる。従って、コンロ用パネル固定具Ｘは、連結桿２０の回転位置及び長さを調節することで、任意の高さのコンロ用パネルを壁面から適度に離れた任意の位置に立てた状態で保持することができる。
また、連結桿２０は縮めて壁面にくっつけるようにできるので、例えば図４に示すように、コンロ用パネルＰを折りたたんで壁面にくっつけた状態で収納するようにできる。このようにすると、必要なときだけコンロ用パネルＰをコンロ周りに立て、必要のないときは壁際に収納できるので、コンロを使用しないとき等にコンロ用パネルが目立たず、キッチンをすっきりした見た目にすることができる。
【００１２】
なお、上記実施形態では、クリップ連結部４０の構造を球継手を２つ有するものとしたが、一つのボールジョイントで連結するようにしてもよく、ユニバーサルジョイントで連結するようにしてもよい。
【符号の説明】
【００１３】
Ｘ  コンロ用パネル保持具
１０  吸盤部
１１  吸盤
１２  吸盤カバー
２０  連結桿
３０  クリップ
４０  クリップ連結部
【図１】
0003186971.tif 000003
【図２】
0003186971.tif 000004
【図３】
0003186971.tif 000005
【図４】
0003186971.tif 000006